(57)【要約】【課題】操作性が向上する改良がなされたシーリングガンのロックレバーを提供する。【解決手段】シーリング材を充填したカートリッジ２を保持するホルダー３と、ホルダーの後端に連設されるフレーム４と、フレームに進退可能に設けられる棒状のガイドロッド５と、ガイドロッドを前進させるハンドル６、７と、フレームとガイドロッドとの間に配設されるロックレバー８とを少なくとも備えた、シーリング材を建材の接合部分に注入するシーリングガン１の、ロックレバーであって、ロックレバー８は、長板状に形成され、その下部８ａに一体的に設けられる延長部２１を有しており、延長部は、下部に連続してハンドルの側部に位置する側板２２と、側板の下端に直交して接続する指受け部２３とを有する。【選択図】図２
0003191768.tif 000002
【実用新案登録請求の範囲】
【請求項１】
シーリング材を充填したカートリッジを保持するホルダーと、該ホルダーの後端に連設されるフレームと、該フレームに進退可能に設けられる棒状のガイドロッドと、該ガイドロッドを前進させるハンドルと、前記フレームと前記ガイドロッドとの間に配設されるロックレバーとを少なくとも備えた、前記シーリング材を建材の接合部分に注入するシーリングガンの、前記ロックレバーであって、
該ロックレバーは、長板状に形成され、その下部に一体的に設けられる又は別体として取付ける延長部を有しており、
該延長部は、前記下部に連続して前記ハンドルの側部に位置する側板と、該側板の下端に直交して接続する指受け部とを有すること
を特徴とするシーリングガンのロックレバー。
【請求項２】
前記ロックレバーの下部に別体として取付ける延長部は、当該下部に挿着可能な挿着孔を有する挿着部を備えること
を特徴とする請求項１に記載のシーリングガンのロックレバー。
【考案の詳細な説明】
【技術分野】
【０００１】
本考案は、シーリングガンを使用する際の、操作性が向上する改良がなされたシーリングガンのロックレバーに関するものである。
【背景技術】
【０００２】
従来、建材の接合部分等にシーリング材を注入するシーリングガン（「コーキングガン」等と称する場合もある）としては、図６に示す構成のものが知られている。このシーリングガン１は、シーリング材を充填したカートリッジ２を保持するホルダー３と、ホルダー３の後端に連設されるフレーム４と、フレーム４に進退可能に設けられる棒状のガイドロッド５と、ガイドロッド５を前進させる可動ハンドル６及び固定ハンドル７と、フレーム４とガイドロッド５との間に設けられるロックレバー８とを備えている。
【０００３】
なお、図６中の符号９は、ガイドロッド５の先端に設けられるピストンを示し、また、符号１０は、ノズルを示す。
【０００４】
このような構成のシーリングガン１は、可動ハンドル６を固定ハンドル７に対して前後移動させて、ガイドロッド５を徐々に前進させることで、ピストン９がシーリング材を押し込んで、ノズル１０から吐出させるのである。
【０００５】
このとき、ロックレバー８によって、ガイドロッド５の後方への後退を阻止している。また、ロックレバー８を、図６中の矢印Ａ方向に押圧してロック状態を解除することで、後方へ付勢されているガイドロッド５が矢印Ｂ方向に後退する仕組みである。
【０００６】
なお、特開２００４−１９７４６６号公報（特許文献１参照）には、シーリングガンの発明が開示されており、特開２００３−２１３９２６号公報（特許文献２参照）には、コーキングガンの発明が開示されており、特開平１１−３６５７１号公報（特許文献３参照）には、シーリング材の注入ガンの発明が開示されている。
【先行技術文献】
【特許文献】
【０００７】
【特許文献１】特開２００４−１９７４６６号公報
【特許文献２】特開２００３−２１３９２６号公報
【特許文献３】特開平１１−３６５７１号公報
【考案の概要】
【考案が解決しようとする課題】
【０００８】
この従来例のシーリングガン１においては、ロックレバー８を押圧してロック状態を解除するときに、次のような動作がなされる。即ち、図７及び図８に示すように、可動ハンドル６と固定ハンドル７とを把持した手１１の、親指１１ａをロックレバー８の下部８ａまで移動させてから、当該下部８ａを押し込む動作（図７の矢印Ａ方向の動作）がなされる。
【０００９】
この場合、可動ハンドル６と固定ハンドル７とを把持した手１１の親指１１ａは、通常は固定ハンドル７の側部領域１２に位置するが、この親指１１ａをロックレバー８の下部８ａまでわざわざ移動させる必要があるので、その動作が無駄であって操作性が悪いという欠点を有している。
【００１０】
従って、従来例におけるシーリングガン１においては、親指１１ａを固定ハンドル７の側部領域１２に位置した状態でロックレバー８を押圧できるようにすること、換言すれば、親指１１ａをロックレバー８の下部８ａまで移動させる無駄な動作を省略して操作性を向上することに解決しなければならない課題を有している。
【課題を解決するための手段】
【００１１】
前記従来例の課題を解決するための本考案の要旨は、シーリング材を充填したカートリッジを保持するホルダーと、該ホルダーの後端に連設されるフレームと、該フレームに進退可能に設けられる棒状のガイドロッドと、該ガイドロッドを前進させるハンドルと、前記フレームと前記ガイドロッドとの間に配設されるロックレバーとを少なくとも備えた、前記シーリング材を建材の接合部分に注入するシーリングガンの、前記ロックレバーであって、該ロックレバーは、長板状に形成され、その下部に一体的に設けられる又は別体として取付ける延長部を有しており、該延長部は、前記下部に連続して前記ハンドルの側部に位置する側板と、該側板の下端に直交して接続する指受け部とを有することである。
【００１２】
また、前記ロックレバーの下部に別体として取付ける延長部は、当該下部に挿着可能な挿着孔を有する挿着部を備えること、；
を含むものである。
【考案の効果】
【００１３】
本考案に係るシーリングガンのロックレバーによれば、その下部に一体的に設けられる又は別体として取付ける延長部を有しており、延長部は、下部に連続してハンドルの側部に位置する側板と、側板の下端に直交して接続する指受け部とを有することによって、親指を固定ハンドルの側部領域に位置した状態で指受け部を押し込んで、ロックレバーを押圧できる。
従って、従来例のような親指をロックレバーの下部まで移動させる無駄な動作を省略できるので、操作性が向上するという優れた効果を奏する。
【００１４】
また、ロックレバーの下部に別体として取付ける延長部は、下部に挿着可能な挿着孔を有する挿着部を備えることによって、従来例に示したロックレバーの下部に挿着して使用することができる。また、下部から延長部の取り外しが自在に行えるという優れた効果を奏する。
【図面の簡単な説明】
【００１５】
【図１】ロックレバー８の延長部２１を説明する、シーリングガン１の正面図である。
【図２】ロックレバー８の延長部２１を説明する、シーリングガン１の正面図である。
【図３】ロックレバー８の延長部２１を説明する、シーリングガン１の斜視図である。
【図４】延長部３１の斜視図である。
【図５】ロックレバー８の下部８ａに挿着した状態を示す、延長部３１の斜視図である。
【図６】従来例に係るシーリングガン１の正面図である。
【図７】親指１１ａでロックレバー８を押し込む動作を説明する、従来例のシーリングガン１の正面図である。
【図８】親指１１ａでロックレバー８を押し込む動作を説明する、従来例のシーリングガン１の斜視図である。
【考案を実施するための形態】
【００１６】
次に、本考案の実施の形態について図面を参照しながら詳細に説明する。なお、理解を容易にするため、従来例に対応する部分には従来例と同一の符号を付けて説明する。
【００１７】
まず、図１から図３において、符号１はシーリングガンを示し、このシーリングガン１は、シーリング材を充填したカートリッジ２を保持するホルダー３と、ホルダー３の後端に連設されるフレーム４と、フレーム４に進退可能に設けられる棒状のガイドロッド５と、ガイドロッド５を前進させる可動ハンドル６及び固定ハンドル７と、フレーム４とガイドロッド５との間に配設されるロックレバー８とを備えている。
【００１８】
シーリングガン１は、前述したように、可動ハンドル６を固定ハンドル７に対して前後移動させて、ガイドロッド５を徐々に前進させることで、ピストン９がシーリング材を押し込んで、ノズル１０から吐出させる。
【００１９】
このときは、ロックレバー８によって、ガイドロッド５の後方への後退を阻止している。また、ロックレバー８を、図２の矢印Ｃ方向に押圧するとロック状態が解除されて、後方へ付勢されているガイドロッド８が矢印Ｄ方向に後退する仕組みになっている。
【００２０】
ロックレバー８は、長板状に形成されており、その上部８ｂには、挿通孔８ｃが形成されて、この挿通孔８ｃにガイドロッド５が前進後退可能に挿通している。
【００２１】
ロックレバー８のほぼ中央部８ｄは、やや折曲して形成されており、当該中央部８ｄから下方に下部８ａが形成される。
【００２２】
ロックレバー８は、この下部８ａに一体的に設けられる延長部２１を有している。
【００２３】
延長部２１は、下部８ａに連続して固定ハンドル７の側部に位置する側板２２と、側板２２の下端に直交して接続する指受け部２３とを有する。
【００２４】
延長部２１がこのように形成されることによって、親指１１ａを固定ハンドル７の側部領域１２に位置した状態で指受け部２３を押し込んで、ロックレバー８を押圧できる（図２及び図３参照）。従って、従来例のような親指１１ａをロックレバー８の下部８ａまで移動させる無駄な動作を省略できるので、操作性が向上する。
【００２５】
次に、延長部を別体として形成した場合について説明する。別体の延長部３１は、図４及び図５に示すように、ロックレバー８の下部８ａに挿着可能な挿着孔３２を有する挿着部３３を備える。
【００２６】
挿着部３３の側部には、下部８ａに連続して固定ハンドル７の側部に位置する側板３４と、側板３４の下端に直交して接続する指受け部３５とを有する。指受け部３５の先端には、受け片３６が形成されている。
【００２７】
このような構成の延長部３１は、従来例に示したロックレバー８の下部８ａに、挿着孔３２を挿着して使用する（図５参照）。また、下部８ａから延長部３１の取り外しが自在に行える。
【００２８】
延長部３１は、延長部２１の場合と同様に、親指１１ａを固定ハンドル７の側部領域１２に位置した状態で指受け部３５を押し込んで、ロックレバー８を押圧できるので、従来例のような親指１１ａの無駄な動作を省略できて操作性が向上する。
【産業上の利用可能性】
【００２９】
本考案のシーリングガンのロックレバー８は、延長部２１を、図１及び図２の正面側に描いているが、これは主に右利きの作業者が、可動ハンドル６及び固定ハンドル７を右手で把持した場合を示している。
しかし、これとは逆に左利きの作業者が可動ハンドル６及び固定ハンドル７を左手で把持する場合は、図１及び図２とは対称的な位置に、つまり、各図の背面側に延長部２１を設けたシーリングガン１を使用すればよい。
また、左利きの作業者が別体の延長部３１を使用する場合も同様であって、図４に示す延長部３１と左右対称に形成された延長部（図示せず）を用いて、各図の背面側に側板と指受け部とが位置するように当該延長部を取り付ければよいのである。
【符号の説明】
【００３０】
１    シーリングガン
２    カートリッジ
３    ホルダー
４    フレーム
５    ガイドロッド
６    可動ハンドル
７    固定ハンドル
８    ロックレバー
８ａ  下部
８ｂ  上部
８ｃ  挿通孔
８ｄ  中央部
９    ピストン
１０  ノズル
１１  手
１１ａ親指
１２  側部領域
２１  延長部
２２  側板
２３  指受け部
３１  延長部
３２  挿着孔
３３  挿着部
３４  側板
３５  指受け部
３６  受け片
【図１】
0003191768.tif 000003
【図２】
0003191768.tif 000004
【図３】
0003191768.tif 000005
【図４】
0003191768.tif 000006
【図５】
0003191768.tif 000007
【図６】
0003191768.tif 000008
【図７】
0003191768.tif 000009
【図８】
0003191768.tif 000010